(57)【要約】【課題】効果的にサーバーラックの中の空間を利用することができ、単純な要素でサーバーラックの中に取り外し可能なハードディスクの収容体を固定できる、取り外し可能なハードディスクモジュールを対象とする。【解決手段】取り外し可能なハードディスクモジュールは、サーバーラック及びサーバーラックから分離可能な取り外し可能なハードディスクの収容体を備えている。サーバーラックは、ねじ溝を備えた少なくとも１対の収容スロットを有している。取り外し可能なハードディスクの収容体は、ねじ溝と対応する、ねじ係合部を有している。取り外し可能なハードディスクの収容体が、収容スロットの中に挿入された場合には、ねじ係合部がねじ溝に接触し、取り外し可能なハードディスクの収容体はねじ係合部を通じてねじ溝に沿って移動し、よって、取り外し可能なハードディスクの収容体は、サーバーラックの収容スロットの中に移動し、中に固定される。【選択図】図５
2008300025.tif 000002
【特許請求の範囲】
【請求項１】
ハードディスクを収容し、ラックの１対の収容スロットの中に挿入することができる、取り外し可能なハードディスクの収容体であって、前記収容スロットは内壁に配置されたねじ溝を有しており、前記取り外し可能なハードディスクの収容体は、
前記収容スロットの中に滑るように挿入することができる、前記取り外し可能なハードディスクの収容体の２つの側面に配置された、２つの側面プレートと、
前記取り外し可能なハードディスクの収容体の前面に形成された前面プレートであって、前記ハードディスクを収容するように、２つの前記側面プレートと共に所定の空間を画定する前面プレートと、
回転可能に前記前面プレートの一端に配置されているねじ本体であって、前記ねじ溝と対応するねじ係合部を有するねじ本体と、
を備え、
前記ねじ係合部は、前記ねじ本体を回転する手段によって前記ねじ溝と接触及び係合し、前記ねじ係合部の回転を通じて前記ねじ係合部は前記ねじ溝に沿って移動し、よって前記取り外し可能なハードディスクの収容体が移動し、前記ラックの前記収容スロットの中に固定されることを特徴とする取り外し可能なハードディスクの収容体。
【請求項２】
前記ねじ本体は、ねじ本体上に配置されて、前記ねじ本体の回転を容易する回転ノブを有していることを特徴とする請求項１に記載の取り外し可能なハードディスクの収容体。
【請求項３】
前記ねじ溝は、前記ねじ係合部にぴったり合うねじ溝であることを特徴とする請求項１に記載の取り外し可能なハードディスクの収容体。
【請求項４】
前記ねじ溝は、前記ねじ係合部にぴったり合う平行溝であることを特徴とする請求項１に記載の取り外し可能なハードディスクの収容体。
【請求項５】
前記ラックは、サーバーラックであることを特徴とする請求項１に記載の取り外し可能なハードディスクの収容体。
【請求項６】
前記ラックは、パーソナルコンピュータのラックであることを特徴とする請求項１に記載の取り外し可能なハードディスクの収容体。
【請求項７】
取り外し可能なハードディスクモジュールであって、
その内壁に配置されたねじ溝を備えた少なくとも１対の収容スロットを有しているラックと、
取り外し可能なハードディスクの収容体であって、各々の側面の１つの側面プレート及び前面の前面プレートを有し、２つの前記側面プレート及び前記前面プレートは所定の空間を画定してハードディスクを収容してする取り外し可能なハードディスクの収容体と、
を有し、
前記前面プレートは、その一方の側に配置されたねじ本体を有しており、前記ねじ本体は、前記前面プレートに向かって又は前面プレートから離れる方に向かって回転させることができるとともに、前記ねじ溝に対応するねじ係合部を有し、該ねじ係合部は、前記ねじ本体を回転する手段によって前記ねじ溝と接触及び係合し、前記ねじ係合部は前記ねじ係合部の回転を通じて前記ねじ溝に沿って移動し、よって、前記取り外し可能なハードディスクの収容体が前記ラックの前記収容スロットの中に移動し、固定されることを特徴とする取り外し可能なハードディスクモジュール。
【請求項８】
前記ねじ本体は、ねじ本体上に配置されて前記ねじ本体の回転を容易にする回転ノブを有していることを特徴とする請求項７に記載の取り外し可能なハードディスクモジュール。
【請求項９】
前記ねじ溝は、前記ねじ係合部にぴったり合うねじ山であることを特徴とする請求項７に記載の取り外し可能なハードディスクモジュール。
【請求項１０】
前記ねじ溝は、前記ねじ係合部にぴったり合う平行溝であることを特徴とする請求項７に記載の取り外し可能なハードディスクモジュール。
【請求項１１】
前記ラックは、サーバーラックであることを特徴とする請求項７に記載の取り外し可能なハードディスクモジュール。
【請求項１２】
前記ラックは、パーソナルコンピュータのラックであることを特徴とする請求項７に記載の取り外し可能なハードディスクモジュール。
【発明の詳細な説明】
【技術分野】
【０００１】
本発明は取り外し可能なハードディスクモジュールに関する。より具体的には、本発明は、サーバーシステムに適用可能な、取り外し可能なハードディスクモジュールに関する。
【背景技術】
【０００２】
急速な科学及び技術の進歩、及びますます高まるコンピュータシステムへの依存の結果として、サーバーシステムの操作性及びデータ記憶能力が、現在の市場において、高度に要求されている。サーバー設備によって占められている空間は、すぐに拡張することはできないため、ホストのような装置の大きさの縮小が、記憶装置の容量を高めるための迅速かつ容易な解決策となっている。
【０００３】
一般的に、サーバーはサーバーラックに据え付けられている。サーバーラックは、その上に配置されている複数の収容スロットを有しており、取り外し可能なハードディスクの収容体を収容している。取り外し可能なハードディスクの収容体は、ハードディスクを収容するように使用されている。これは、共通のサーバーのハードディスクを管理する方法である。従来の取り外し可能なハードディスクモジュールは、サーバーラックの幅及び高さによって制限されており、ラックの上の限られた空間は、通常、十分に利用することはできない。例えば、標準的なサーバーのラックの幅は、一般的に、４個の水平に配置された３．５インチハードディスクよりも、少し幅が広い。ラック上の取り外し可能なハードディスクの収容体を固定するための装置が、取り外し可能なハードディスクの収容体の左側及び右側に配置されている場合、ただ３個のハードディスクしか、サーバーラック上に水平に収容できないだろう。一方で、取り外し可能なハードディスクの収容体の固定装置が、垂直に配置されるように設計されている場合、取り外し可能なハードディスクモジュールの厚さが必然的に増加し、従って、高さ方向に垂直に据え付けることができるハードディスクの数は減少する。
【０００４】
上記記載を鑑みて、全ての製造が取り外し可能なハードディスクの収容体の大きさに影響を及ぼすことなしに、サーバーラックの中に取り外し可能な収容体を安定して固定することができる装置を設計することに多大な努力を注いでいる。図１は、従来の取り外し可能なハードディスクモジュールの概略図である。図２は従来の取り外し可能なハードディスクの収容体用の固定装置の閉じられた状態の概略図である。図３は従来の取り外し可能なハードディスクの収容体用の固定装置の開けられた状態の概略図である。図１、２及び３に示すように、従来の取り外し可能なハードディスクモジュール８０は、一般的に、取り外し可能なハードディスクの収容体８１の前面に配置されているハンドル８２を有している。ハンドル８２は締結部材８３と関連し、かつ接続されている。取り外し可能なハードディスクの収容体８１がサーバーラックの中に挿入された場合に、取り外し可能なハードディスクの収容体８１の締結部材８３は、サーバーラックの内壁（図示せず）と締結され、よって、取り外し可能なハードディスクの収容体８１をサーバーラックの中に固定する。取り外し可能なハードディスクの収容体８１を引き出そうとする場合には、解放ボタン８４を押すことでハンドル８２が外に出され、よって、締結部材８３はサーバーラックとの締結関係から解放され、続いて、取り外し可能なハードディスクの収容体８１がハンドル８２を引いたときに、引き出される。しかし、従来の取り外し可能なハードディスクの収容体用の固定装置は、多数の部品及び構成部品を必要とする。更に、取り外し可能なハードディスクの収容体は、締結関係を通じて固定されるので、締結及び解放のためのストロークの範囲は、かなり小さく、また、製造工程における製造許容範囲も、かなり小さい。ひとたび締結部材の位置における重大な誤差があると、取り外し可能なハードディスクの収容体は、サーバーラックの中に効果的に固定することはできない。
【０００５】
それゆえ、上述したいかなる不利点も生じさせることなしに、かつサーバーラックの空間を無駄にすることなしに、サーバーラックの中に、取り外し可能なハードディスクの収容体を安定して固定することができる、取り外し可能なハードディスクモジュールを提案することは緊急の課題である。
【発明の開示】
【発明が解決しようとする課題】
【０００６】
本発明は、主に、効果的にサーバーラックの中の空間を利用することができ、単純な要素を通じてサーバーラックの中に取り外し可能なハードディスクの収容体を固定できる、取り外し可能なハードディスクモジュールを対象としている。
【課題を解決するための手段】
【０００７】
上記の目的を達成するために、本発明の取り外し可能なハードディスクモジュールは、サーバーラック及びサーバーラックから取り外すことができる、取り外し可能なハードディスクの収容体を備えている。サーバーラックは、取り外し可能なハードディスクの収容体を収容するための少なくとも１対の収容スロットを有しており、これら収容スロットはその内壁に、ねじ溝を有して形成されている。取り外し可能なハードディスクの収容体は、本体の各々の側面に１つの側面プレートを、前面に前面プレートを有している。２つの側面プレート及び前面プレートは、ハードディスクを収容するための所定の空間を画定している。前面プレートは、その一方の側に枢動可能に配置されたねじ本体を有しており、ねじ本体は回転することができるとともに、収容スロットに形成されたねじ溝に対応する、ねじ係合部を有している。
【０００８】
取り外し可能なハードディスクの収容体が、サーバーラックの収容スロットの中に挿入された場合には、ねじ係合部がねじ溝に接触する。ねじ本体は、次いで回転され、よって、ねじ係合部はねじ溝に沿って移動し、取り外し可能なハードディスクの収容体は、ラックの収容スロットの中に完全に移動し、固定される。取り外し可能なハードディスクの収容体が収容スロットから引き出される場合には、ねじ本体を逆に回転しさえすればよく、よって、ねじ係合部が完全にねじ溝との締結関係から解放されるまで、ねじ係合部はねじ溝の外側へ移動し、すなわち、取り外し可能なハードディスクの収容体をサーバーラックの収容スロットから直接引き出すことができる。
【発明を実施するための最良の形態】
【０００９】
本発明の好適な実施形態は、図を参照しつつ以下に説明されるとともに、参照番号が図に示され、対応する要素を示している。
【００１０】
図４は、本発明の好適な実施例による、サーバーラックの中に部分的に挿入された、取り外し可能なハードディスクの収容体の概略図である。図５は本発明の好適な実施例による、サーバーラックの中に完全に挿入された、取り外し可能なハードディスクの収容体の概略図である。図６は取り外し可能なハードディスクの収容体及びサーバーラックの部分構造図である。そして図７は、取り外し可能なハードディスクの収容体及びサーバーラックの部分水平断面図である。図４，５，６及び７に示すように、本発明の取り外し可能なハードディスクモジュールは、主に、サーバーラック１０及び少なくとも１つの取り外し可能なハードディスクの収容体２０を備えている。いわゆるサーバーラックは、ここではコンピュータサーバー用のラックのことを指し、コンピュータサーバー用のラックは、そこに収容される複数のハードディスクを有し、複数のハードディスクを連続して接続することを可能にし、よって、サーバーのデータ記憶容量を増加させるとともに、システムの安定性を向上させる。サーバーラックは様々なタイプ、例えば、１Ｕサーバー、２Ｕサーバー、３Ｕサーバー、及び４Ｕサーバーとすることができる。いわゆる１Ｕとは、１．７５インチ（約４．５ｃｍ）の標準的な積層構造の高さのことを指し、実質的に光ディスクドライブの高さである。同様に、２Ｕは、３．５インチの高さ、３Ｕは５．２５インチの高さ、などである。本発明のサーバーラックは、上述したような共通のサーバーシステムには限定されず、パーソナルコンピュータのラックであってもよいことに留意すべきである。
【００１１】
サーバーラック１０は少なくとも１対の収容スロット１１を備えており、この収容スロットは、平行に配置され、それらの間には間隔が置かれており、収容スロット１１の各々の対は、１つの取り外し可能なハードディスクの収容体２０を収容することができる。通常、１つの１Ｕサーバーは、取り外し可能なハードディスクの収容体２０を収容するための３又は４組の収容スロット１１を有している。１つの２Ｕサーバーは、取り外し可能なハードディスクの収容体２０を収容するための６又は８組の収容スロット１１を有している、などである。本発明の収容スロット１１は、その内壁にねじ溝１２を形成しており、ねじ溝１２はねじ山（図７に示す）、又は、複数の平行溝（図６に示す）、又は、複数の平行の開口のような様々な別の類似の構造とすることができる。
【００１２】
本発明の取り外し可能なハードディスクの収容体２０は、その本体の各々の側面に配置された１つの側面プレート２１、及び前面に配置されている前面プレート２２を有している。２つの側面プレート２１及び前面プレート２２は、所定の空間２３を画定して、ハードディスク２４を収容している。加えて、側面プレート２１及び前面プレート２２は、互いに分離された独立した要素とすることもでき、又は、一体化して形成することもできる。前面プレート２２が、取り外し可能なハードディスクの収容体２０の前面を完全に覆う必要はなく、例えば、側面プレート２１（又は前面プレート２２）は、Ｌ字状のプレートとして設計し、取り外し可能なハードディスクの収容体２０の前面及び側面をそれぞれ画定することもできる。２つの側面プレート２１は、単に滑るように、収容スロット１１の対と係合し、これにより、取り外し可能なハードディスクの収容体２０は滑るように、サーバーラック１０の中に挿入、又はサーバーラック１０の中から引き出すことができる。ねじ本体２５は、回転可能に前面プレート２２の一方の側に配置されており、ねじ係合部２６及び回転ノブ２７を有している。ねじ係合部２６は、前面プレート２２の一方の側に、僅かに前面プレート端を超えて配置されており、前面プレート２２に向かって又は前面プレートから離れる方向に向かって回転させることができる。ねじ係合部２６は、円筒状の形状であり、その表面にねじ溝を有している。このねじ溝は、サーバーラック１０の収容スロット１１の内壁のねじ溝１２と係合することができる。回転ノブ２７は、ねじ係合部２６に固定されている。ねじ係合部２６は、手、又はねじ回し（図示せず）で回転ノブ２７を回転させることによって、回転するよう作られており、従って、使用者は、容易にねじ本体２５を操作することができる。
【００１３】
一方で、取り外し可能なハードディスクの収容体２０が、サーバーラック１０の収容スロット１１から引き出される場合、まず第一に、ねじ本体２５が逆に回転され、ねじ係合部２６はねじ溝１２に沿って収容スロット１１から外側に移動し、よって、サーバーラック１０の外側へ移動するように、取り外し可能なハードディスクの収容体２０を動かし、ねじ本体２５のねじ係合部２６が、収容スロット１１のねじ溝１２との係合関係から解放された場合には、使用者は、直接サーバーラック１０の収容スロット１１から、取り外し可能なハードディスクの収容体２０を引き出すことができる。
【００１４】
また、本発明に必要となる部品の数は、従来技術の数よりも、ずっと少なくなり、取り外し可能なハードディスクの収容体が、ねじ係合部２６とねじ溝１２との間の係合関係を通じて、挿入及び引き出されるので、従来技術と比較して、比較的大きな製造許容誤差を達成することができる。
【図面の簡単な説明】
【００１５】
【図１】従来の取り外し可能なハードディスクモジュールの概略図である。
【図２】従来の取り外し可能なハードディスクの収容体用の固定装置の閉じられた状態の概略図である。
【図３】従来の取り外し可能なハードディスクの収容体用の固定装置の開けられた状態の概略図である。
【図４】本発明の好適な実施例による、サーバーラックの中に部分的に挿入された、取り外し可能なハードディスクの収容体の概略図である。
【図５】本発明の好適な実施例による、サーバーラックの中に完全に挿入された、取り外し可能なハードディスクの収容体の概略図である。
【図６】取り外し可能なハードディスクの収容体及びサーバーラックの部分構造図である。
【図７】取り外し可能なハードディスクの収容体及びサーバーラックの部分水平断面図である。
【図８】本発明の好適な実施形態による、１Ｕサーバーに適用された取り外し可能なハードディスクモジュールの概略図である。
【符号の説明】
【００１６】
１０  サーバーラック
１１  収容スロット
１２  ねじ山
２０，８１  取り外し可能なハードディスクの収容体
２１  側面プレート
２２  前面プレート
２３  空間
２４  ハードディスク
２５  ねじ本体
２６  ねじ係合部
２７  回転ノブ
８０  取り外し可能なハードディスクモジュール
８２  ハンドル
８３  締結部材
８４  解放ボタン
【図１】
2008300025.tif 000003
【図２】
2008300025.tif 000004
【図３】
2008300025.tif 000005
【図４】
2008300025.tif 000006
【図５】
2008300025.tif 000007
【図６】
2008300025.tif 000008
【図７】
2008300025.tif 000009
【図８】
2008300025.tif 000010
【外国語明細書】
2008300025.tif 000011
2008300025.tif 000012
2008300025.tif 000013
2008300025.tif 000014
2008300025.tif 000015
2008300025.tif 000016
2008300025.tif 000017
2008300025.tif 000018
2008300025.tif 000019
2008300025.tif 000020
2008300025.tif 000021
2008300025.tif 000022
2008300025.tif 000023
2008300025.tif 000024
2008300025.tif 000025
2008300025.tif 000026